(57)【要約】【課題】既設のブロック組立式丸形コンクリ−ト製公共ますは、ブロック部材の積み重ねによりその継ぎ目に、経年による老朽化が進み、その継ぎ目から植物の根が侵入し、ます機能を阻害するので、インバ−トを残して補修が行われているが、これでは、その立管下端に管継手等を予め付設して内挿しているので立管が小口径化する、という問題があった。【解決手段】この問題を解決するため、この公共ます１Ａの、上下方向同一内径を形成する直壁５に、その下端が直壁５に内接する拡径部６をもつ塩ビ製立管７のみを内挿して、直壁５と立管７との空間を少なくし、これに流動性の高いモルタルを流し込んで補修をすれば、立管７は元の口径と変らない。【選択図】図３
2006002481.tif 000002
【特許請求の範囲】
【請求項１】
既設のブロック組立式コンクリ−ト製ますにおいて、その直壁に略内接する合成樹脂製立管を吊下または立設し、これらの直壁と立管との間に充填剤を流し込んで、該直壁の継ぎ目やクラックを補修することを特徴とするコンクリ−ト製ますの補修法。
【請求項２】
既設のブロック組立式丸形コンクリ−ト製ますにおいて、その直壁に略内接する略寸胴状の合成樹脂製立管のみを吊下または立設し、これらの直壁と立管との間に充填剤を流し込んで、該直壁の継ぎ目やクラックを補修することを特徴とするコンクリ−ト製ますの補修装置。
【請求項３】
前記立管の下端に拡径部を設け、該拡径部を直壁に摺接して内接させる請求項１または２に各記載のコンクリ−ト製ますの補修法またはその装置。
【請求項４】
前記直壁以下を残し、他を取替える請求項１から３に各記載のコンクリ−ト製ますの補修法またはその装置。
【発明の詳細な説明】
【技術分野】
【０００１】
本発明は、コンクリ−ト製ますの補修法およびその装置に関し、詳しくは公共ますのそれに関するものである。
【背景技術】
【０００２】
一般に、宅内配管の下流端に設置され、主として公共下水道管理者が維持管理を行う公共ますもコンクリ−ト製の場合、コンクリ−ト製マンホ−ルと同様、組立建造が行われ、当該公共ます全体を工場製品とし、そのブロックを現場で積み上げる構造になっている。      
【０００３】
すなわち、この公共ます５０は、例えば図５に示すようにインバ−トを形成する底板５１に、塩ビ製の流入管５２および流出管５３の管路をそれぞれもつ管取付壁５４を積み、これに直壁５５を積み、この直壁５５に、斜壁５６および調整リング５７を積み、この調整リング５７に、蓋５８および受枠５９を載置固定している。
【０００４】
そして、かかる公共ます５０は堅固で耐久性のある構造が要求され、殊に、前記のようにブロック組立てであるため、これらのブロック間の継手部分（継ぎ目）は、地下水浸入防止のため、このモルタル等の施工を入念に行う必要があり、また、地震時における各ブロック間のずれ発生防止のため緊結等の必要があるとされている。
【０００５】
ところで、一般のコンクリ−ト製下水設備は、路面荷重等による長期間の土圧によって老朽化が進み、この老朽化した、例えば下水管には、それより小口径の塩ビ管を挿入し、そのド−ナツ状空間にモルタルを流し込んで、当該下水管の補修ないし再生が行われている（例えば特開昭６２−１２７５８６号公報参照）。
【０００６】
そして、前記ブロック組立式コンクリ−ト製公共ます５０でも、入念な仕上げをしているとはいえ、長期に亙り使用した場合、管路や側塊等（前記直壁５５や斜壁５６等）の継手部分に使用したモルタルが剥離し、外部から植物の根や地下水ないし雨水が浸入し管路を閉塞するので、これらの継手部分を補修し再生することが行われている。
【０００７】
かかる補修法について次のような提案がなされている。
【特許文献１】特許第２９８８６４７号公報の提案では、既設のコンクリ−ト製ます内に、その流出入口と対応する流出入口をもつ塩ビ製ます本体を内装セットする際、該塩ビ製ます本体に、その流出口に接続される接続継手を予め設けている補修法を紹介しており、
【特許文献２】また、特開２００１−１９３１４７号公報の提案では、既設のコンクリ−ト製ますのインバ−トに、その流出入口側の各インバ−ト部を被覆する弯曲状のカバ−をもち、かつ、これらのカバ−の中間部に上向きの掃除管用受口を設けたカバ−本体で被覆した補修法を紹介している。
【発明の開示】
【発明が解決しようとする課題】
【０００８】
しかしながら、前記のいずれの提案でも、既設のコンクリ−ト製ますの側塊の内径に対し、内装する塩ビ製ますの点検筒ないし掃除管が、その下端に、予め接続継手または弯曲状のカバ−を設けていることから、それだけ小口径化するという問題があった。
【０００９】
殊に、既設のコンクリ−ト製ますは、下水道協会制定のコンクリ−ト製小型マンホ−ルと同様、もともと小口径化しているだけに、その内部での作業が困難であるばかりでなく  、点検筒の小口径化は更に悪影響が大きい。
【００１０】
そこで本発明は、既設のコンクリ−ト製ますが、例えば丸形３号汚水ますであれば、その側塊の内径が略正確に内径３００ｍｍφと決められていることに着目し、前記問題を解決しようとするものである。
【課題を解決するための手段】
【００１１】
かかる問題を解決するため、本発明は、１）既設のブロック組立式コンクリ−ト製ますにおいて、その直壁に略内接する合成樹脂製立管を吊下または立設し、これらの直壁と立管との間に充填剤を流し込んで、該直壁の継ぎ目やクラックを補修することを特徴とするコンクリ−ト製ますの補修法にあり、また、２）既設のブロック組立式丸形コンクリ−ト製ますにおいて、その直壁に略内接する略寸胴状の合成樹脂製立管のみを吊下または立設し、これらの直壁と立管との間に充填剤を流し込んで、該直壁の継ぎ目やクラックを補修することを特徴とするコンクリ−ト製ますの補修装置にあり、また、３）前記立管の下端に拡径部を設け、該拡径部を直壁に摺接して内接させる請求項１または２に各記載のコンクリ−ト製ますの補修法またはその装置にあり、また、４）前記直壁以下を残し、他を取替える請求項１から３に各記載のコンクリ−ト製ますの補修法またはその装置を要旨とする。
【発明の効果】
【００１２】
本発明によると、コンクリ−ト製ますの劣化や老朽化による、クラック等を含めた直壁のみの破損箇所のみを補修するので、健全な箇所をそのまま残し、補修の効率（単に管体を上方から挿入するだけで流出入管路との接続不要等の施工性や、単なる管体のみの挿入使用等によって資材の節約化）を向上させるのは勿論、補修用立管（点検筒または掃除管を指す）を可及的に大口径化でき、ひいては、既設のます口径に近い寸法とし、立管による機能、すなわち点検や掃除具の挿入等の作業が従前と同様となり、これに支障を与えない。
【００１３】
殊に、小口径化したコンクリ−ト製ますにとって好都合となり、補修後の耐久性も何ら支障やクラック等がない。もし、継手部分に耐震施工があれば、これを補強しそのまま利用することができる。
【００１４】
更に、公共ますが公道近傍に設置されることから、車道の微振動によりブロック継ぎ目の破損が生じやすいこと、つまり発生しやすい側塊のみの損傷に好都合に対応させることができる。
【発明を実施するための最良の形態】
【００１５】
本発明を添付図面に示す実施例により詳細に述べる。
【００１６】
図１から図４迄に本発明の実施例法の各設置を示し、図１（Ａ）は既設のブロック組立式丸形コンクリ−ト製公共ますの縦断面図、図１（Ｂ）は図１（Ａ）の側塊以下を残すための地表を掘削した断面図、図２（Ｃ）は図１（Ｂ）において補修用立管を内装した状態の断面図、図２（Ｄ）は図２（Ｃ）においてモルタルを注入器により流し込む状態の断面図、図３（Ｅ）は図２（Ｄ）において立管に蓋等を被覆した状態の断面図、図３（Ｆ）は図３（Ｅ）において掘削した部分を埋戻しした状態の断面図、図４は図１〜３に示す立管の一部断面図であり、図５で示す従来例と同一部分はその説明を省略ないし簡略化する。      
【００１７】
先ず、本発明の実施例（方法および装置）の概要を述べる。
【００１８】
既設のブロック組立式丸形コンクリ−ト製公共ます１において、経年により、その継手部分、すなわち、継ぎ目２  ２…から例えば植物の根が侵入し、点検等に支障をきたしたり、流出入口３、４を閉塞したりする苦情ないし問題が発生した場合、その製品の取替えをする迄もなく、簡易補修をするに際し、当該コンクリ−ト製公共ます１の、上下方向同一内径を形成する直壁５内面に接するようにその下端を拡径した拡径部６のみ（シ−ルを含むが、全体として寸胴状になっている）をもつ塩ビ製（合成樹脂製）立管７を、該直壁５の内面に摺接しながら吊下し、その拡径部６が当該ますの最下位の継目２ａ以下になるよう位置決めした後、これらの直壁５と立管７との狭小空間に流動性の高いモルタル８を流し込み、立管７を公共ます１に内装する補修法を行う。
【００１９】
そして、この立管７の上端に、塩ビ製小口径ますで汎用されている密閉蓋（２０）を直接覆設する簡易施工をする。
【００２０】
これを数値的に例示して表現すれば、直壁５の内径が３５０ｍｍφの場合、そこに使用する立管７の外径は３１８ｍｍφ、拡径部６の外径は３４０ｍｍφとし、その拡径部６の外周にシ−ル（リング）９を嵌装し直壁５の内面に摺接させる。そして、この立管７の管長は、この公共ます１の場合７５０ｍｍのものを使用するとよい。
【００２１】
この立管７は汎用の塩ビ製射出成形品に付き、製品精度はきわめて高く、特に心円度は高いので、加工精度の高い工場生産たるブロック組立式ますに好都合となる。
【００２２】
次に、この立管７を詳細に述べる。
【００２３】
図４において、塩ビ製立管７の下端に下向きラッパ状の拡径部６を形成する。この下向きラッパ状の拡径角度θは約１５°とし、その拡径折曲長さＬ＝４０ｍｍとして、拡径部６の外周にシ−ル（リング）９を接着して取付ける。このシ−ル９の外周によって流入したモルタル８の流下漏を防いでいる。
【００２４】
また、立管７の下方の外周面には、その上下巾約２００ｍｍに亙り、合成樹脂系粘着剤を塗布し、これに乾いた珪砂を均一にまぶした砂付け加工部１０を設け、塩ビ製立管７と流し込むモルタル８との固着を強固にしている。
【００２５】
そして、立管７は塩ビ製押出成形品の一端を熱プレス成形等の後加工により、拡径部６を形成してもよい。
【００２６】
次に、かかる立管７を用いた補修について詳細に述べる。
【００２７】
図１〜３において、図１（Ａ）に示す既設のブロック組立式丸形コンクリ−ト製公共ます１は、インバ−ト１１を形成し、かつ、塩ビ管が接続する流出入口１２を設けた底塊たる底板１３に、側塊たる、例えば３つ（複数）のブロックの直壁５ａ、５ａ…を接着剤たるモルタル（不図示）を介して積んでおり、これらの直壁５は同一内径の内面を形成している。
【００２８】
更に、これらの直壁５に、上塊たる斜壁１４を載置し、この斜壁１４に蓋部材１５を被覆して、この蓋部材１５の上面を地表ＧＬと一致させている。
【００２９】
かかる既設の公共ます１に前記不具合が発生すると、図１（Ｂ）に示すように公共ます１の近傍を、上塊のみを撤去できる程度に掘削１６し、蓋部材１３や斜壁１４を取除く。      
【００３０】
次いで、図２（Ｃ）に示すように前記立管７を直壁５に内装し、その下端の拡径部６が側塊の最下位の継ぎ目２ａより下方に位置したとき、仮固定バンド（溝のない箇所に用いるグリップ止め輪をいう）１７を巻着して立管７を直壁５に仮固定する。
【００３１】
すなわち、この半割の止め輪たる仮固定バンド１７のグリップ用ネジ締付部１８を直壁５の上端面に係止して立管７を直壁５内に吊下する。
【００３２】
したがって、この仮固定バンド１７を用いることにより、立管７が直壁５に対し同心状態となる。
【００３３】
そこで、図２（Ｄ）のように直壁５の内面と立管７の外面との狭小ド−ナツ状空間１９にモルタル（充填剤）８を注入器２１によって流し込む。このモルタル８は流動性の良い無収縮急結モルタルが好ましい。
【００３４】
次いで、図３（Ｅ）に示すように立管７上に塩ビ製（小口径塩ビますに汎用されている密閉蓋）もしくは鋳鉄製の蓋部材２０をセットし、前記モルタルの養生を行う。勿論、このセットにより養生期間に異物の落下を防止する。
【００３５】
公道下に設置される公共ます１Ａの場合には、台座付の防護蓋（不図示）でカバ−する。
【００３６】
そして、図３（Ｆ）に示すように仮固定バンド１７を外すか、そのままで埋戻しをして補修ずみの公共ます１Ａにする。
【００３７】
なお、直壁５と同心性を高くする前記仮固定バンド１７を用いない方法を述べると、前記インバ−ト１１がストレ−トの場合、立管７の下端にこれらのインバ−トを跨ぐ１対の凹部を形成し、この立管７をインバ−ト上の傾斜最上部に当接させる。
【００３８】
そして、立管７における最下位の継ぎ目２ａ以下の部位に、断面太目のリップ付パッキンを嵌着して注入したモルタルの漏れを防止すると、立管７は直壁５に立設できる。したがって、本明細書の吊下とは立設を含んでいる場合もある。
【００３９】
また要するに、コンクリ−ト製公共ます１の内面と塩ビ製立管７を同じ形状に加工して使用すればよいが、円形の立管が好ましい。
【図面の簡単な説明】
【００４０】
【図１】本発明の実施例の説明断面図である。
【図２】図１の他の説明断面図である。
【図３】図２の更に他の説明断面図である。
【図４】本実施例の要部断面図である。
【図５】従来例である。
【符号の説明】
【００４１】
１、１Ａ  公共ます
２、２ａ  継ぎ目
５        直壁
７        立管
８        モルタル
【図１】
2006002481.tif 000003
【図２】
2006002481.tif 000004
【図３】
2006002481.tif 000005
【図４】
2006002481.tif 000006
【図５】
2006002481.tif 000007